(57)【特許請求の範囲】
【請求項１】
光軸に沿って物体側より順に、正の屈折力の第１レンズ群、負の屈折力の第２レンズ群、負の屈折力の第３レンズ群、開口絞り、正の屈折力の第４レンズ群、正の屈折力の第５レンズ群を配してなり、広角端から望遠端への変倍に際し、第１レンズ群と第２レンズ群の間隔が増大し、第２レンズ群と第３レンズ群の間隔が増大し、第３レンズ群と第４レンズ群の間隔が減少し、第４レンズ群と第５レンズ群の間隔が減少し、前記第３レンズ群の移動によってフォーカシングを行い、
前記第３レンズ群が１枚の負レンズで構成され、
第３レンズ群の焦点距離：Ｆ３、開口絞りよりも物体側の群の無限遠合焦時の広角端における合成焦点距離：ＦＦＷ、絞りよりも物体側の群の無限遠合焦時の望遠端における合成焦点距離：ＦＦＴが、条件：
（１）  ２．５＜ Ｆ３／ＦＦＷ ＜  ４．０  
（２）  １．５＜ Ｆ３／ＦＦＴ ＜  ３．０
を満足することを特徴とするズームレンズ。
【請求項２】
光軸に沿って物体側より順に、正の屈折力の第１レンズ群、負の屈折力の第２レンズ群、負の屈折力の第３レンズ群、開口絞り、正の屈折力の第４レンズ群、正の屈折力の第５レンズ群を配してなり、広角端から望遠端への変倍に際し、第１レンズ群と第２レンズ群の間隔が増大し、第２レンズ群と第３レンズ群の間隔が増大し、第３レンズ群と第４レンズ群の間隔が減少し、第４レンズ群と第５レンズ群の間隔が減少するように、全てのレンズ群が移動し、前記第３レンズ群の移動によってフォーカシングを行い、  
第３レンズ群の焦点距離：Ｆ３、開口絞りよりも物体側の群の無限遠合焦時の広角端における合成焦点距離：ＦＦＷ、絞りよりも物体側の群の無限遠合焦時の望遠端における合成焦点距離：ＦＦＴが、条件：
（１）  ２．５＜ Ｆ３／ＦＦＷ ＜  ４．０
（２）  １．５＜ Ｆ３／ＦＦＴ ＜  ３．０
を満足することを特徴とするズームレンズ。
【請求項３】
請求項２記載のズームレンズにおいて、  
第３レンズ群が１枚の負レンズで構成されることを特徴とするズームレンズ。
【請求項４】
請求項１ないし３の何れか１項に記載のズームレンズにおいて、
第３レンズ群の負レンズの材質のアッベ数：ｖｄが条件：
（３）  ｖｄ  ＞  ５０
を満足することを特徴とするズームレンズ。
【請求項５】
請求項１〜４の任意の１に記載のズームレンズにおいて、  
像高：Ｙ’、広角端における焦点距離：ＦＷ、望遠端における焦点距離：ＦＴが、条件：
（４）０．７５ ＜ Ｙ’／ＦＷ
（５）２．８  ＜  ＦＴ／ＦＷ 
を満足することを特徴とするズームレンズ。
【請求項６】
請求項１〜５の任意の１に記載のズームレンズを、撮影用光学系として有することを特徴とする撮影機能を有する情報装置。  
【請求項７】
請求項６記載の情報装置において、  
ズームレンズによる物体像が、撮像素子の受光面上に結像されることを特徴とする撮影機能を有する情報装置。  
【請求項８】
請求項７記載の情報装置において、携帯情報端末装置として構成されたことを特徴とする撮影機能を有する情報装置。
【発明の詳細な説明】
【技術分野】
【０００１】
この発明は、ズームレンズおよび情報装置に関する。  
情報装置は、ビデオカメラや電子スチルカメラ、さらには携帯情報端末装置として実施できる。
【背景技術】
【０００２】
近年、デジタルスチルカメラ等の「撮影機能を持つ情報装置」に用いられる撮影光学系は、ズームレンズが一般的であり、特に、３５ｍｍ判換算で「５０ｍｍ程度の画角を焦点距離範囲に含むズームレンズ」が広く知られている。  
これらズームレンズにおいては、変倍比の増大とともに、小型化や広角化、オートフォーカス（以下「ＡＦ」と略記する。）の高速化等に対する要望が高い。
【０００３】
変倍比を増大させやすく、正群先行の構成で全長の小型化が容易な構成として「所謂ポジティブリードタイプのズームレンズ」が知られている（特許文献１〜５）。  
また、ＡＦの実行形態として、構成レンズ群のうち、第２レンズ群以下の「内部レンズ群」を変位させるインナーフォーカス方式が知られている。  
インナーフォーカス方式は、第１レンズ群を変位させないので、フォーカシングに際してレンズ系の外形が変化せず、また、フォーカシングを静かに行なうことができる。
【０００４】
特許文献１〜４開示のズームレンズもインナーフォーカス方式を開示しているが、フォーカシングのために移動させるフォーカシング群が軽量であるとは言い難く、昨今求められているような「高速のフォーカシング」の実現は困難であり、動画撮影中の静穏化等も実現が困難であると考えられる。
【０００５】
特許文献５開示のズームレンズでは、１枚の負レンズをフォーカス群としており、ＡＦの高速化や鏡筒の小型化、静穏なフォーカシングも可能と考えられるが、ズームレンズの小型化や製造誤差感度、収差補正上なお改善の余地があると考えられる。
【発明の概要】
【発明が解決しようとする課題】
【０００６】
この発明は上述した事情に鑑みてなされたものであって、フォーカス群が十分コンパクトで、フォーカス群の移動量が小さく、小型・高性能で広角端の半画角が３６．８度以上、変倍比が２．８倍から５倍程度、１０００万〜２０００万画素を超える撮像素子に対応した解像力を実現可能なズームレンズの実現、さらには、このようなズームレンズを用いる情報装置の実現を課題とする。
【課題を解決するための手段】
【０００７】
この発明のズームレンズは、光軸に沿って物体側より順に、正の屈折力の第１レンズ群、負の屈折力の第２レンズ群、負の屈折力の第３レンズ群、開口絞り、正の屈折力の第４レンズ群、正の屈折力の第５レンズ群を配してなり、広角端から望遠端への変倍に際し、第１レンズ群と第２レンズ群の間隔が増大し、第２レンズ群と第３レンズ群の間隔が増大し、第３レンズ群と第４レンズ群の間隔が減少し、第４レンズ群と第５レンズ群の間隔が減少し、第３レンズ群の移動によってフォーカシングを行い、第３レンズ群が１枚の負レンズで構成され、第３レンズ群の焦点距離：Ｆ３、開口絞りよりも物体側の群の無限遠合焦時の広角端における合成焦点距離：ＦＦＷ、絞りよりも物体側の群の無限遠合焦時の望遠端における合成焦点距離：ＦＦＴが、条件：
（１）  ２．５＜ Ｆ３／ＦＦＷ ＜  ４．０  
（２）  １．５＜ Ｆ３／ＦＦＴ ＜  ３．０
を満足することを特徴とする。
【発明の効果】
【０００８】
この発明のズームレンズは、フォーカス群が、負レンズ１枚と十分にコンパクトであり、また、フォーカス群の移動量を小さくできるため、高速のＡＦを静かに行なうことができ、小型・高性能で、後述の実施例に示すように、広角端の半画角が３６．８度以上、変倍比が２．８倍から５倍程度、１０００万〜２０００万画素を超える撮像素子に対応した解像力を実現可能である。
【０００９】
従って、この発明のズームレンズを搭載することにより性能良好な情報装置を実現することができる。
【図面の簡単な説明】
【００１０】
【図１】実施例１のズームレンズの構成を示す断面図である。
【図２】実施例１のズームレンズの広角端における収差曲線図である。
【図３】実施例１のズームレンズの中間焦点距離における収差曲線図である。
【図４】実施例１のズームレンズの望遠端における収差曲線図である。
【図５】実施例２のズームレンズの構成を示す断面図である。
【図６】実施例２のズームレンズの広角端における収差曲線図である。
【図７】実施例２のズームレンズの中間焦点距離における収差曲線図である。
【図８】実施例２のズームレンズの望遠端における収差曲線図である。
【図９】実施例３のズームレンズの構成を示す断面図である。
【図１０】実施例３のズームレンズの広角端における収差曲線図である。
【図１１】実施例３のズームレンズの中間焦点距離における収差曲線図である。
【図１２】実施例３のズームレンズの望遠端における収差曲線図である。
【図１３】実施例４のズームレンズの構成を示す断面図である。
【図１４】実施例４のズームレンズの広角端における収差曲線図である。
【図１５】実施例４のズームレンズの中間焦点距離における収差曲線図である。
【図１６】実施例４のズームレンズの望遠端における収差曲線図である。
【図１７】実施例５のズームレンズの構成を示す断面図である。
【図１８】実施例５のズームレンズの広角端における収差曲線図である。
【図１９】実施例５のズームレンズの中間焦点距離における収差曲線図である。
【図２０】実施例５のズームレンズの望遠端における収差曲線図である。
【図２１】実施例６のズームレンズの構成を示す断面図である。
【図２２】実施例６のズームレンズの広角端における収差曲線図である。
【図２３】実施例６のズームレンズの中間焦点距離における収差曲線図である。
【図２４】実施例６のズームレンズの望遠端における収差曲線図である。
【図２５】実施例７のズームレンズの構成を示す断面図である。
【図２６】実施例７のズームレンズの広角端における収差曲線図である。
【図２７】実施例７のズームレンズの中間焦点距離における収差曲線図である。
【図２８】実施例７のズームレンズの望遠端における収差曲線図である。
【図２９】実施例８のズームレンズの構成を示す断面図である。
【図３０】実施例８のズームレンズの広角端における収差曲線図である。
【図３１】実施例８のズームレンズの中間焦点距離における収差曲線図である。
【図３２】実施例８のズームレンズの望遠端における収差曲線図である。
【図３３】携帯情報端末装置の実施の１形態のシステム構成を説明するための図である。
【図３４】図３３の装置の外観を説明するための図である。
【発明を実施するための形態】
【００１１】
以下、実施の形態を説明する。  
図１、図５、図９、図１３、図１７、図２１、図２５、図２９に、ズームレンズの実施の形態を８例示す。これらは順次、後述する実施例１〜９に対応するものである。  
これらの図は、ズームレンズのレンズ構成と、広角端から望遠端に到る変倍に際しての各レンズ群の変位の様子を示している。
【００１２】
即ち、これらの図の上段の図は「広角端における各レンズ群の配置」を示し、中段の図は「中間焦点距離における各レンズ群の配置」を示し、下段の図は「望遠端における各レンズ群の配置」を示すものであって、各段の間における「矢印」は、各レンズ群の変倍に伴う移動の様子を表している。
【００１３】
繁雑を避けるため、これらの図において、符号を共通化する。各図において、図の左方が「物体側」であり、右方が「像側」である。  
最も物体側にある符号Ｉは「第１レンズ群」、符号ＩＩは「第２レンズ群」、符号ＩＩＩは「第３レンズ群」、符号ＩＶは「第４レンズ群」、符号Ｖは「第５レンズ群」を示す。
【００１４】
また、第３レンズ群ＩＩＩと第４レンズ群ＩＶとの間の符合Ｓは「開口絞り」を示す。
【００１５】
各実施の形態とも、物体像をＣＣＤやＣＭＯＳ等の「撮像素子」に結像させるものであり、上記各図において、図の右側に描かれた符号Ｆは「２枚の透明平行平板」を示す。
【００１６】
デジタルスチルカメラ等「ＣＣＤやＣＭＯＳのような撮像素子を用いるタイプのカメラ装置」では、撮像素子の受光面に近接して、ローパスフィルタや赤外カットガラス等が設けられ、また、固体撮像素子の受光面は「カバーガラス」で保護されている。
【００１７】
上記透明平行平板Ｆは、ローパスフィルタ等の各種フィルタや、カバーガラスを「これらに光学的に等価な２枚の透明平行平板」により仮想的に置き換えたものである。
【００１８】
透明平行平板Ｆのさらに像側には「像面」が位置する。この像面は、撮像素子の受光面に合致する。  
勿論、この発明のズームレンズは、撮像素子と共に用いられることに限定されず、銀塩写真カメラの撮像レンズとしても使用可能であり、この場合には、上記像面は銀フィルムの感光面に合致し、その場合には、透明平行平板Ｆは用いられない。
【００１９】
図１、図５、図９、図１３、図１７、図２１、図２５、図２９に示すズームレンズは何れも、光軸に沿って物体側から順に、正の屈折力を有する第１レンズ群Ｉと、負の屈折力を有する第２レンズ群ＩＩと、負の屈折力を有する第３レンズ群ＩＩＩと、正の屈折力を有する第４レンズ群ＩＶと、正の屈折力を有する第５レンズ群Ｖを配し、第３レンズ群ＩＩＩと第４レンズ群ＩＶの間に開口絞りＳを配してなる。
【００２０】
これらのズームレンズは何れも、広角端から望遠端への変倍に際して「全群が移動」し、第１レンズ群Ｉと第２レンズ群ＩＩの間隔が増大し、第２レンズ群ＩＩと第３レンズ群ＩＩＩの間隔が増大し、第３レンズ群ＩＩＩと第４レンズ群ＩＶの間隔が減少し、第４レンズ群ＩＶと第５レンズ群Ｖの間隔が減少し、開口絞りＳは「第４レンズ群ＩＶと一体で移動」する。
【００２１】
図１に示すズームレンズにおいて、第１レンズ群Ｉは、物体側から順に、物体側に凸面を向けた負メニスカスレンズと、物体側に凸面を向けた正メニスカスレンズとを接合した接合レンズで構ある。
【００２２】
第２レンズ群ＩＩは、物体側に凸面を向けた負メニスカスレンズと、両面とも非球面からなる両凹レンズと、両凸レンズとを物体側から、この順序に配してなる。
【００２３】
第３レンズ群ＩＩＩは、物体側に強い凹面を向けた負メニスカスレンズ１枚からなる。
【００２４】
第４レンズ群ＩＶは、物体側により強い凸面を向けた両面非球面である両凸レンズと、両凸レンズと両凹レンズの接合レンズを、物体側からこの順に配してなる。
【００２５】
第５レンズ群Ｖは、両面非球面である両凸レンズと、物体側に凸面を向けた負メニスカスレンズを、物体側からこの順序に配してなる。
【００２６】
図５に示すズームレンズにおいて、第１レンズ群Ｉは、物体側から順に、物体側に凸面を向けた負メニスカスレンズと、物体側に凸面を向けた正メニスカスレンズとを接合した接合レンズである。
【００２７】
第２レンズ群ＩＩは、物体側に凸面を向けた負メニスカスレンズと、両面とも非球面からなる両凹レンズと、両凸レンズを、物体側からこの順序に配してなる。
【００２８】
第３レンズ群ＩＩＩは、物体側に強い凹面を向けた負メニスカスレンズ１枚からなる。
【００２９】
第４レンズ群ＩＶは、物体側により強い凸面を向けた両面非球面である両凸レンズと、その像側に配された「両凸レンズと両凹レンズの接合レンズ」とからなる。
【００３０】
第５レンズ群Ｖは、両面非球面である両凸レンズと、物体側に凸面を向けた負メニスカスレンズを、物体側からこの順序に配してなる。
【００３１】
図９に示すズームレンズにおいて、第１レンズ群Ｉは、物体側から順に、物体側に凸面を向けた負メニスカスレンズと、物体側に凸面を向けた正メニスカスレンズとを接合した接合レンズである。
【００３２】
第２レンズ群ＩＩは、物体側に凸面を向けた負メニスカスレンズと、両面とも非球面からなる両凹レンズと、両凸レンズを、物体側からこの順序に配してなる。
【００３３】
第３レンズ群ＩＩＩは、物体側に強い凹面を向けた負メニスカスレンズ１枚からなる。
【００３４】
第４レンズ群ＩＶは、物体側により強い凸面を向けた両面非球面である両凸レンズと、その像側に配された「両凸レンズと両凹レンズの接合レンズ」とからなる。
【００３５】
第５レンズ群Ｖは、両面非球面である両凸レンズと、物体側に凸面を向けた負メニスカスレンズを、物体側からこの順に配してなる。
【００３６】
図１３に示すズームレンズにおいて、第１レンズ群Ｉは、物体側から順に、物体側に凸面を向けた負メニスカスレンズと、物体側に凸面を向けた正メニスカスレンズとを接合した接合レンズである。
【００３７】
第２レンズ群ＩＩは、物体側に凸面を向けた負メニスカスレンズと、両面とも非球面からなる両凹レンズと、両凸レンズとを、物体側からこの順に配してなる。
【００３８】
第３レンズ群ＩＩＩは、物体側に強い凹面を向けた負メニスカスレンズ１枚からなる。
【００３９】
第４レンズ群ＩＶは、物体側により強い凸面を向けた両面非球面である両凸レンズと、その像側に配された「両凸レンズと両凹レンズの接合レンズ」とからなる。
【００４０】
第５レンズ群Ｖは、両面非球面である両凸レンズと、物体側に凸面を向けた負メニスカスレンズを、物体側からこの順に配してなる。
【００４１】
図１７に示すズームレンズにおいて、第１レンズ群Ｉは、物体側から順に、物体側に凸面を向けた負メニスカスレンズと、物体側に凸面を向けた正メニスカスレンズを接合した接合レンズである。
【００４２】
第２レンズ群ＩＩは、物体側に凸面を向けた負メニスカスレンズと、両面とも非球面からなる両凹レンズと、両凸レンズとを、物体側からこの順に配してなる。
【００４３】
第３レンズ群ＩＩＩは、物体側に強い凹面を向けた負メニスカスレンズ１枚からなる。
【００４４】
第４レンズ群ＩＶは、物体側により強い凸面を向けた両面非球面である両凸レンズと、その像側に配された「両凸レンズと両凹レンズの接合レンズ」とからなる。
【００４５】
第５レンズ群Ｖは、両面非球面である両凸レンズと、物体側に凸面を向けた負メニスカスレンズを、物体側からこの順に配してなる。
【００４６】
図２１に示すズームレンズにおいて、第１レンズ群Ｉは、物体側から順に、物体側に凸面を向けた負メニスカスレンズと、物体側に凸面を向けた正メニスカスレンズを接合した接合レンズである。
【００４７】
第２レンズ群ＩＩは、物体側に凸面を向けた負メニスカスレンズと、両面とも非球面からなる両凹レンズと、両凸レンズとを、物体側からこの順に配してなる。
【００４８】
第３レンズ群ＩＩＩは、物体側に強い凹面を向けた負メニスカスレンズ１枚からなる。
【００４９】
第４レンズ群ＩＶは、物体側により強い凸面を向けた両面非球面である両凸レンズと、その像側に配された「両凸レンズと両凹レンズの接合レンズ」とからなる。
【００５０】
第５レンズ群Ｖは、両面非球面である両凸レンズと、物体側に凸面を向けた負メニスカスレンズを、物体側からこの順に配してなる。
【００５１】
図２５に示すズームレンズにおいて、第１レンズ群Ｉは、物体側から順に、物体側に凸面を向けた負メニスカスレンズと、物体側に凸面を向けた正メニスカスレンズとを接合した接合レンズである。
【００５２】
第２レンズ群ＩＩは、物体側に凸面を向けた負メニスカスレンズと、両面とも非球面からなる両凹レンズと、両凸レンズとを、物体側からこの順に配してなる。
【００５３】
第３レンズ群ＩＩＩは、物体側に強い凹面を向けた負メニスカスレンズ１枚からなる。
【００５４】
第４レンズ群ＩＶは、物体側により強い凸面を向けた両面非球面である両凸レンズと、その像側に配された「両凸レンズと両凹レンズの接合レンズ」とからなる。
【００５５】
第５レンズ群Ｖは、像側により強い凸面を向けた両面非球面である両凸レンズと、物体側に凸面を向けた負メニスカスレンズを、物体側からこの順に配してなる。
【００５６】
図２９に示すズームレンズにおいて、第１レンズ群Ｉは、物体側から順に、物体側に凸面を向けた負メニスカスレンズと、物体側に凸面を向けた正メニスカスレンズとを接合した接合レンズである。
【００５７】
第２レンズ群ＩＩは、物体側に凸面を向けた負メニスカスレンズと、両面とも非球面からなる両凹レンズと、両凸レンズとを、物体側からこの順に配してなる。
【００５８】
第３レンズ群ＩＩＩは、物体側に強い凹面を向けた負メニスカスレンズ１枚からなる。
【００５９】
第４レンズ群ＩＶは、物体側により強い凸面を向けた両面非球面である両凸レンズと、その像側に配された「両凸レンズと両凹レンズの接合レンズ」とからなる。
【００６０】
第５レンズ群Ｖは、両面非球面である両凸レンズと、物体側に凸面を向けた負メニスカスレンズを、物体側からこの順に配してなる。
【００６１】
この発明のズームレンズでは、「第３レンズ群をフォーカス群として用いる」ことにより、フォーカス群の軽量化によるＡＦの高速化、静音化のみならず、フォーカス群の移動量を少なくすることで小型化も図っている。  
また、第３レンズ群を変倍にも寄与させることにより、設計の自由度を高め、より小型化、高性能化を図っている。ただし、第３レンズ群の変倍への寄与を強め過ぎると、偏心感度の上昇を招き、ＡＦ時の画面ゆれ等が発生してしまう可能性があるため、第３レンズ群の変倍への寄与は適切な範囲にすることが重要である。  
また、第４レンズ群、第５レンズ群の「変倍への寄与」をも大きくしており、また、各レンズ群で「互いに収差を補正しあう」ことにより、設計の自由度を高め、より小型化、高性能化を図っている。
【００６２】
このように、この発明のズームレンズでは「全てのレンズ群を変倍に寄与させる」ため、各レンズ群間での収差量を適切にしないと、収差のバランスが崩れ、収差の増大や、レンズ系の大型化等を招きやすい。
【００６３】
条件（１）、（２）はそれぞれ、各ズームポイントでの「開口絞りよりも物体側のレンズ群における第３レンズ群の焦点距離の適切な範囲」を示している。  
これらの条件の下限値を下回ると、第３レンズ群の「変倍への寄与」が相対的に大きくなり、他のレンズ群の負担が小さくなる。このため、ズームレンズ全系の小型化や、収差補正上は有利となるが、製造誤差感度が上昇するため、精度の良い作製・組み立てが困難になり、実際上の面から好ましくない。
【００６４】
逆に、条件（１）、（２）の上限値を上回ると、製造誤差感度は低減するが、他のレンズ群の負担が大きくなるため、各レンズ群の「変倍に伴う変位量」が増大し、これらの変位量を確保するために、小型化に不利となり、また収差補正上において不利となる。
【００６５】
条件（１）、（２）のパラメータは、より好ましくは、条件（１）、（２）よりも若干狭い以下の条件：
（１Ａ）  ２．５＜ Ｆ３／ＦＦＷ ＜  ３．５  
（２Ａ）  １．６５＜ Ｆ３／ＦＦＴ ＜  ２．６  
を満足することが好ましい。
【００６６】
また、第３レンズ群を「１枚の負レンズ」で構成することにより、フォーカス群の軽量化を図り、ＡＦのさらなる高速化・静音化を図ることができる。
【００６７】
この場合、第３レンズ群を構成する１枚の負レンズの材料のアッベ数：νｄが、条件：
（３）  νｄ  ＞  ５０
を満足することにより、更なる高性能化が可能になる。
【００６８】
即ち、１枚のレンズのみで構成される第３レンズ群に「比較的低分散のガラス」を用いることにより、各種色収差の発生を抑えることができ、他のレンズ群の負担を小さくでき、収差補正上有利となる。
【００６９】
変倍に際しては「全てのレンズ群を移動させる」ことにより、全てのレンズ群が変倍に寄与することになり、各レンズ群の変倍に対する負担を小さくできるので、収差補正上・加工性においても有利となるだけでなく、第１レンズ群の移動量を効率よく低減することが可能となり、小型化にも有利となる。
【００７０】
さらなる広画角化・高変倍比化を可能とするために、像高：Ｙ’、広角端における焦点距離：ＦＷ、望遠端における焦点距離：ＦＴが、条件：
（４）０．７５  ＜  Ｙ’／ＦＷ
（５）２．８  ＜  ＦＴ／ＦＷ 
を満足することが好ましい。
【００７１】
条件（４）は「画角を規制」し、広角端での半画角が３６．８度以上で高性能かつコンパクトなズームレンズを得ることが出来る。条件（５）は「ズーム比を規制」し、２．８倍以上の変倍比で高性能で広角でコンパクトなズームレンズを得ることが出来る。
【００７２】
条件（４）、（５）の各パラメータは、より好ましくは、以下の条件を満たすことが好ましい。
【００７３】
（４Ａ）  ０．８７＜  Ｙ’／Ｆｗ 
（５Ａ）  ２．８  ＜  ＦＴ／Ｆｗ  ＜  ５                      。
【００７４】
開口絞りの開放径は「変倍に係らず一定とする」のが機構上簡略となってよいが、望遠端の開放径を広角端に比べて変化させることにより、Ｆナンバの変化を小さくすることも出来る。  
「像面に到達する光量を減少させる必要」があるときは、開口絞りを小径化しても良いが、「絞り径を大きく変えることなくＮＤフィルタ等の挿入により光量を減少」させるほうが回折現象による解像力の低下を防止できて好ましい。
【００７５】
この発明のズームレンズは「５レンズ群構成」である。  
フォーカス群である第３レンズ群の後続群を増やし、変倍中移動させるようにすれば、前群の「変倍への負担」を小さくでき、設計自由度も増すため、収差補正や加工の面で有利となるが、光学系の小型化とのトレードオフとなる。従って、この発明のズームレンズのように、５レンズ群構成が適当である。
【００７６】
図３３、３４を参照して、情報装置の実施の１形態としての「携帯情報端末装置」を説明する。  
図３４はカメラ装置（携帯情報端末装置のカメラ機能部）の外観を示し、図３３は携帯情報端末装置のシステム構成を示している。  
図３３に示すように、携帯情報端末装置３０は、撮影レンズ３１と受光素子（１０００万以上の画素が２次元に配列された撮像素子）４５を有し、撮影レンズ３１によって形成される「撮影対象物の像」を受光素子４５によって読み取るように構成されている。
【００７７】
撮影レンズ３１としては請求項１〜５記載の「ズームレンズ」、より具体的には後述の実施例１〜８のズームレンズが用いられる。ズーミングは、図３４に示すズーミング調整部３４による調整で行なう。このとき、ファインダ３３も連動してズーミングする。
【００７８】
図３３に示す受光素子４５からの出力は、中央演算装置４０の制御を受ける信号処理装置４２によって処理されてデジタル情報に変換され、デジタル化された画像情報は、中央演算装置４０の制御を受ける画像処理装置４１において所定の画像処理を受けた後、半導体メモリ４４に記録される。
【００７９】
液晶モニタ３８には、画像処理装置４１において画像処理された「撮影中の画像」や、そのズーミング状態を表示することもできるし、半導体メモリ４４に記録されている画像を表示することもできる。また、半導体メモリ４４に記録した画像は通信カード等４３を使用して外部へ送信することができる。
【００８０】
画像処理装置４１は「シェーディングの電気的な補正」や「画像中心部のトリミング」等を行なう機能も有する。
【００８１】
撮影レンズ３１は、携帯時には、図３４（ａ）に示すように「沈胴状態」にあり、ユーザが電源スイッチ３６を操作して電源を入れると、同図（ｂ）に示すように鏡胴が繰り出される。
【００８２】
このとき、鏡胴の内部でズームレンズの各群は「物体距離が無限遠の配置」となっており、シャッタボタン３５の半押しにより「有限物体距離へのフォーカシング」が行なわれる。フォーカシング動作は前述したように「第３レンズ群を移動」させて行なわれる。
【００８３】
このとき、ファインダ３３も連動してフォーカシングする。
【００８４】
半導体メモリ４４に記録した画像を液晶モニタ３８に表示したり、通信カード等を使用して外部へ送信したりする際は、図３４（ｃ）に示す操作ボタン３７を使用して行う。  
半導体メモリ４４および通信カード等４３は、それぞれ専用または汎用のスロット３９Ａ、３９Ｂに挿入して使用される。
【００８５】
撮影レンズ３１が沈胴状態にあるとき、各レンズ群は、必ずしも光軸上に並んでいなくても良く、例えば、第１レンズ群や第２レンズ群が光軸上から退避して「他のレンズ群と並列に収納されるような機構」とすれば、携帯情報端末装置のさらなる薄型化を実現できる。
【００８６】
以上に説明したような「カメラ装置を撮影機部として有する携帯情報端末装置」には、実施例１〜５のズームレンズを撮影レンズ３１として使用することができ、１０００万画素以上の受光素子４５を使用した高画質で小型のカメラ機能を持つ携帯情報端末装置を実現できる。
【実施例】
【００８７】
以下ズームレンズの具体的な実施例を８例挙げる。
【００８８】
実施例における記号の意味は以下の通りである。
ｆ：全系の焦点距離  
Ｆ：Ｆナンバ  
ω：半画角(deg)  
面番号：物体側から数えた面（レンズ面、絞りの面、フィルタ、受光面）の番号  
Ｒ：曲率半径(非球面にあっては近軸曲率半径)  
Ｄ：面間隔  
Ｎｄ：屈折率  
νｄ：アッベ数  
Ｋ：非球面の円錐定数  
Ａ４：４次の非球面定数  
Ａ６：６次の非球面定数  
Ａ８：８次の非球面定数  
Ａ１０：１０次の非球面定数  
Ａ１２：１２次の非球面定数                                    。
【００８９】
非球面形状は、近軸曲率半径の逆数(近軸曲率)：Ｃ、光軸からの高さ：Ｈ、円錐定数：Ｋ、上記各次数の非球面係数を用い、Ｘを光軸方向における非球面量として、周知の式
Ｘ＝ＣＨ２／[１＋√{１−(１＋Ｋ)Ｃ２Ｈ２}]
＋Ａ４・Ｈ４＋Ａ６・Ｈ６＋Ａ８・Ｈ８＋Ａ１０・Ｈ１０＋Ａ１２・Ｈ１２＋・・
で表されるものであり、近軸曲率半径と円錐定数、非球面係数を与えて形状を特定する。
なお、特に断らない限り、長さの元を持つものの単位は「ｍｍ」である。
【００９０】
「実施例１」
実施例１のズームレンズは、図１に示したものである。以下にデータを挙げる。
【００９１】
ｆ=16.146〜53.852  Ｆ＝3.59〜5.93  ω＝41.53〜14.87
面番号  曲率半径   面間隔     Nd      νd  
1     35.22784   1.30000  1.84666  23.7800
2     25.43981   5.58108  1.69680  55.5300
3    161.95730   可変A                  
4     66.68463   0.97007  2.00100  29.1300
5     10.93000   6.31830                  
6    -29.18377   0.80000  1.69350  53.1800
7     26.19043   0.09955                  
8     25.80601   4.24896  1.84666  23.7800
9    -27.63060   可変B                  
10    -20.24167   0.80000  1.60300  65.4400
11    -50.23484   可変C                  
12     ∞（絞り） 1.45001                  
13     15.31467   3.43574  1.51633  64.0600
14    -38.17926   0.10000                  
15     21.44923   3.93180  1.53172  48.8400
16    -17.87906   1.45000  1.83400  37.1600
17     19.58694   可変D                  
18     19.29863   4.94809  1.58913  61.1500
19    -19.58674   0.23493                  
20     48.01352   0.80173  1.90366  31.3200
21     16.49362   可変E                  
22      ∞        0.70000  1.53770  66.6000
23      ∞        1.50000                  
24      ∞        0.70000  1.50000  64.0000
25      ∞                                              。
【００９２】
「非球面データ」
第6面
K=0
A4= -1.12571E-05  
A6=  1.21899E-07  
A8=  2.76874E-09
A10= -4.5160E-11
A12= 1.38009E-13
第7面
K=0  
A4= -4.98762E-05  
A6=  3.02710E-07  
A8= -1.83352E-09  
A10=-4.9553E-12  
第13面  
K=0  
A4= -2.23034E-05  
A6= -3.30061E-08  
A8=  1.96596E-09  
A10=-4.33079E-11  
第14面
K=0  
A4= -6.86789E-06  
A6=  1.59127E-07  
A8= -8.05125E-10  
A10=-2.46291E-11  
第18面  
K=  -4.76959  
A4= -2.06414E-06  
A6= -1.71695E-07  
A8= -2.33143E-09  
A10= 6.08643E-12  
第19面  
K=   0.25043
A4=  3.72591E-05  
A6= -4.11291E-08  
A8= -2.02648E-09  
A10= 3.86766E-12  
上記の表記において、例えば「3.86766E-12」は「3.86766×10-12」を意味する。以下においても同様である。
【００９３】
「可変量」
可変量のデータを表１に示す。  
【００９４】
【表１】
0005888038.tif 000002
【００９５】
図２〜４に順次、実施例１の広角端、中間焦点距離、望遠端における収差図を示す。球面収差の図中の破線は「正弦条件」、非点収差の図中の実線は「サジタル」、破線は「メリディオナル」をそれぞれ表す。また「ｇ」、「ｄ」はそれぞれ、ｇ線およびｄ線を表す。他の収差図についても同様である。
【００９６】
「実施例２」
実施例２のズームレンズは、図５に示したものである。以下にデータを挙げる。
【００９７】
ｆ＝16.146〜53.851  Ｆ＝3.6〜5.77  ω＝41.53〜14.87
面番号  曲率半径    面間隔    Nd     νd  
1    43.11718    1.29999  1.84666  23.78  
2    31.73933    5.57706  1.69680  55.53  
3   190.09719    可変A                    
4    55.24695    0.97008  2.00100  29.13  
5    10.53158    7.00758     
6   -37.69153    0.80000  1.69350  53.18  
7    39.79764    0.12000     
8    35.75261    4.22772  1.84666  23.78  
9   -27.02142    可変B                    
10  -22.16816    0.80000  1.60300  65.44  
11  -68.86241    可変C                       
12   ∞（絞り）  1.45020     
13   17.70983    4.99510  1.51633  64.06  
14  -25.76032    0.10000     
15   24.82196    3.73181  1.53172  48.84  
16  -18.83887    1.44999  1.83400  37.16  
17   19.93203    可変D                       
18   18.95445    5.30000  1.58913  61.15  
19  -22.79198    0.10000     
20   46.10650    0.80000  1.90366  31.32  
21   16.80062    可変E     
22    ∞         0.70000  1.53770  66.60  
23    ∞             1.50000    
24    ∞         0.70000  1.50000  64.00  
25    ∞                                                      。
【００９８】
「非球面データ」
第6面  
K=0  
A4= -6.13912E-05  
A6=  6.02764E-07  
A8= -3.68927E-09  
A10=-5.86282E-12  
第7面  
K=0  
A4= -9.55771E-05  
A6=  6.67024E-07  
A8= -5.78157E-09  
A10= 3.44512E-12  
第13面  
K=0  
A4= -2.21195E-05  
A6= -1.07672E-06  
A8=  1.98544E-08  
A10=-3.47093E-10  
第14面  
K=0  
A4=  5.12674E-06  
A6= -9.94310E-07  
A8=  1.53589E-08  
A10=-2.78900E-10  
第18面  
K=  -1.2879  
A4= -1.57778E-05  
A6= -7.80973E-08  
A8= -8.69905E-10  
A10= 3.89552E-12  
第19面  
K=  0.98584  
A4= 4.43195E-05  
A6= 5.66872E-08  
A8= -2.64609E-09  
A10= 1.33387E-11                                                      。
【００９９】
「可変量」
可変量のデータを表２に示す。
【０１００】
【表２】
0005888038.tif 000003
【０１０１】
図６、図７、図８に順次、実施例２の広角端、中間焦点距離、望遠端における収差図を示す。
【０１０２】
「実施例３」
実施例３のズームレンズは、図９に示したものである。以下にデータを挙げる。
【０１０３】
ｆ＝16.146〜53.85  Ｆ＝3.62〜5.67  ω＝41.53〜14.87  
面番号 曲率半径   面間隔   Nd     νd  
1   44.83622   1.30000  1.84666  23.78  
2   30.32788   5.80250  1.77250  49.60  
3  152.20233   可変A    
4   55.56877   0.97009  2.00100  29.13  
5   10.85110   6.67902     
6  -40.92454   0.80000  1.7703  47.40  
7   36.32245   0.65885     
8   30.89732   4.44422  1.84666  23.78  
9  -26.99833   可変B     
10  -24.45877   0.80000  1.64850  53.02  
11 -103.58339  可変C     
12   ∞(絞り)   1.45008     
13   16.52481   5.35383  1.51633  64.06  
14  -25.99633   0.10000     
15   23.78029   3.61747  1.51742  52.43  
16  -22.01894   1.45000  1.83400  37.16  
17   17.55937  可変D     
18   19.88520   5.30000  1.58913  61.15  
19  -22.74438   0.10000     
20   53.58387   0.80000  1.90366  31.32  
21   18.67841   可変E     
22     ∞       0.70000  1.53770  66.60  
23     ∞       1.50000    
24     ∞       0.70000  1.50000  64.00  
25     ∞                                                  。
【０１０４】
「非球面データ」
第6面  
K=0  
A4= -8.18151E-06  
A6= -2.01833E-07  
A8=  2.53333E-09  
A10=-1.29107E-11  
第7面  
K=0  
A4= -3.23283E-05  
A6= -1.88341E-07  
A8=  1.96755E-09  
A10=-1.43273E-11  
第13面  
K=0  
A4= -3.22004E-05  
A6= -9.60992E-07  
A8=  1.55589E-08  
A10=-2.82657E-10  
第14面  
K=0  
A4=  3.53815E-06  
A6= -8.66214E-07  
A8=  1.17377E-08  
A10=-2.24402E-10  
第18面  
K=-1.27337  
A4= -1.58768E-05  
A6= -1.86624E-07  
A8=  6.94712E-10  
A10=-5.97184E-12  
第19面  
K=0  
A4= 3.31640E-05  
A6=-1.06067E-07  
A8=-6.29723E-10  
A10=0                                                    。
【０１０５】
「可変量」
可変量のデータを表３に示す。
【０１０６】
【表３】
0005888038.tif 000004
【０１０７】
図１０、図１１、図１２に順次、実施例３の広角端、中間焦点距離、望遠端における収差図を示す。
【０１０８】
「実施例４」
実施例４のズームレンズは図１３に示したものである。以下にデータを挙げる。
【０１０９】
ｆ=16.146〜53.84  Ｆ=3.63〜5.74  ω=41.5〜14.87            
面番号 曲率半径      面間隔     Nd     νd  
1   46.03179     1.30005   1.84666  23.78  
2   31.22940     5.51888   1.77250  49.60  
3  152.04501     可変A  
4   51.07120     0.97002   2.00100  29.13  
5   10.77721     6.63709     
6  -42.16678     0.79999   1.77030  47.40  
7   38.75553     0.96368     
8   30.38725     4.33203   1.84666  23.78  
9  -29.02408     可変B  
10  -21.91807     0.80000   1.64850  53.02  
11  -79.56447     可変C  
12   ∞（絞り）   1.44994     
13   18.62497     4.02774   1.51633  64.06  
14  -25.81393     0.09995     
15   20.81187     4.01271   1.51742  52.43  
16  -19.74213     1.44999   1.83400  37.16  
17   19.22015     可変D  
18   20.95766     5.30002   1.58913  61.15  
19  -22.01066     0.10001     
20   42.36060    0.79999   1.90366  31.32  
21   16.44550     可変E      
22     ∞        0.70000   1.53770  66.60
23     ∞        1.50000    
24     ∞        0.70000   1.50000  64.00  
25     ∞                                              。
【０１１０】
「非球面データ」
第6面  
K=0  
A4=  5.52979E-05  
A6= -1.46723E-06  
A8=  1.40955E-08  
A10=-5.75258E-11  
第7面  
K=0  
A4=  3.02092E-05  
A6= -1.53901E-06  
A8=  1.44769E-08  
A10=-6.26901E-11  
第13面  
K=0  
A4= -8.40542E-06  
A6= -4.37152E-07  
A8=  1.03740E-08  
A10=-2.45238E-10  
第14面  
K=0  
A4=  2.47361E-05  
A6= -6.21729E-07  
A8=  1.37690E-08  
A10=-2.72842E-10  
第18面  
K=  -0.92674  
A4= -1.83059E-05  
A6= -3.30349E-08  
A8= -2.28321E-09  
A10=-6.15846E-13  
第19面  
K=0  
A4=  3.19375E-05  
A6=  3.31577E-08  
A8= -2.88956E-09  
A10= 0  
「可変量」
可変量のデータを表４に示す。
【０１１１】
【表４】
0005888038.tif 000005
【０１１２】
図１４、図１５、図１６に順次、実施例４の広角端、中間焦点距離、望遠端における収差図を示す。
【０１１３】
「実施例５」
実施例５のズームレンズは、図１３に示したものである。以下にデータを挙げる。
【０１１４】
ｆ＝16.15〜53.852  Ｆ＝3.62〜5.77  ω＝41.53〜14.87
面番号  曲率半径    面間隔     Nd     νd  
1    52.97005    1.31000   1.84666  23.78 
2    35.71101    5.48584   1.77250  49.60 
3   189.65170    可変A 
4    57.34337    0.95497   2.00100  29.13 
5    11.09490    6.36289   
6   -52.53144    0.80001   1.77030  47.40 
7    36.40322    1.16039   
8    30.42534    4.23829   1.84666  23.78 
9   -30.42507    可変B   
10   -22.85191    0.80000   1.64850  53.02
11   -92.38759    可変C 
12   ∞（絞り）   1.40001   
13    19.49107    3.32058   1.51633  64.06 
14   -25.78639    0.11538   
15    18.99577    4.01733   1.51742  52.43 
16   -18.99577    1.40000   1.83400  37.16 
17    18.99577    可変D  
18    19.38104    5.59999   1.58913  61.15  
19   -23.21203    0.10000    
20    34.69037    0.80000   1.90366  31.32 
21    14.67162    可変E                     
22     ∞         0.70000   1.53770  66.60 
23     ∞         1.50000   
24     ∞         0.70000   1.50000  64.00 
25     ∞                                                。
【０１１５】
「非球面データ」
第6面  
K=0  
A4=  2.63554E-05  
A6= -1.09237E-06  
A8=  9.8447E-09  
A10=-3.41409E-11  
第7面  
K=0  
A4=  2.93738E-06  
A6= -1.13624E-06  
A8=  1.01043E-08  
A10=-3.88306E-11  
第13面  
K=0  
A4=  3.21402E-07  
A6= -1.03872E-07  
A8=  6.34622E-09  
A10=-1.99948E-10  
第14面    
K=0  
A4=  2.47699E-05  
A6= -2.4115E-07  
A8=  9.50458E-09  
A10=-2.36136E-10  
第18面  
K=  -0.57855  
A4= -1.83484E-05  
A6= -2.90044E-08  
A8= -1.90061E-09  
A10=-5.50054E-12  
第19面    
K=  -0.09961  
A4=  3.54974E-05  
A6=  3.43435E-08  
A8= -3.14805E-09                                          。
【０１１６】
「可変量」
可変量のデータを表５に示す。
【０１１７】
【表５】
0005888038.tif 000006
【０１１８】
図１８、図１９、図２０に順次、実施例５の広角端、中間焦点距離、望遠端における収差図を示す。
【０１１９】
「実施例６」
実施例６のズームレンズは、図２１に示したものである。以下にデータを挙げる。
【０１２０】
ｆ＝16.146〜53.852  Ｆ＝3.61〜5.76  ω＝41.53〜14.87
面番号   曲率半径   面間隔     Nd     νd  
1     53.02258   1.31000  1.84666  23.78  
2     35.94362   5.46329  1.77250  49.60  
3    188.67998   可変A  
4     54.87412   0.95512  2.00100  29.13  
5     10.79646   6.44587   
6    -51.91885   0.80000  1.74320  49.29  
7     40.63394   1.06371   
8     31.38598   4.08243  1.84666  23.78  
9    -31.38598   可変B  
10    -23.00149   0.80000  1.65160  58.55  
11    -97.40089   可変C  
12    ∞（絞り）  1.39999    
13     19.57334   3.29549  1.51633  64.06 
14    -25.26589   0.10000  
15     19.46405   3.89071  1.51742  52.43  
16    -19.46405   1.40519  1.83400  37.16  
17     19.46405   可変D   
18     19.69818   5.60000  1.58913  61.15  
19    -22.10614   0.10000   
20     38.97349   0.80019  1.90366  31.32 
21     15.14672   可変E                       
22       ∞       0.70000  1.53770  66.60  
23       ∞       1.50000  
24       ∞       0.70000  1.50000  64.00  
25       ∞                                                     。
【０１２１】
「非球面データ」  
第6面    
K=0  
A4=  3.46877E-05  
A6= -1.27443E-06  
A8=  1.11921E-08  
A10=-4.40045E-11  
第7面  
K=0  
A4=  6.8617E-06  
A6= -1.34447E-06  
A8=  1.13537E-08  
A10=-4.81564E-11  
第13面    
K=0  
A4= -1.2513E-06  
A6= -4.84014E-08  
A8=  5.40686E-09  
A10=-2.0620E-10  
第14面  
K=0  
A4=  2.71708E-05  
A6= -2.3373E-07  
A8=  9.93932E-09  
A10=-2.54318E-10  
第18面            
K=  -0.65075  
A4= -1.90482E-05  
A6= -3.34777E-08  
A8= -1.71693E-09  
A10=-5.56274E-12  
第19面  
K=  -0.20854  
A4=  3.63343E-05  
A6=  2.45318E-08  
A8= -2.95008E-09  
「可変量」
可変量のデータを表６に示す。
【０１２２】
【表６】
0005888038.tif 000007
【０１２３】
図２２、図２３、図２４に順次、実施例６の広角端、中間焦点距離、望遠端における収差図を示す。
【０１２４】
「実施例７」
実施例７のズームレンズは、図２５に示したものである。以下にデータを挙げる。
【０１２５】
ｆ＝16.145〜53.86  Ｆ＝3.64〜5.75  ω＝41.53〜14.87
面番号   曲率半径    面間隔    Nd      νd  
1     51.57017   1.35033   1.84666  23.78  
2     35.08789   5.69112   1.7725   49.6   
3    182.91872    可変A  
4     44.57654   0.98972   2.001    29.13  
5     10.55643   6.75921  
6    -44.69477   0.80002   1.7432  49.29  
7     47.5051    1.35366  
8     32.75877   3.82977   1.84666  23.78  
9    -32.75877   可変B      
10    -24.76086   0.8       1.6516  58.55   
11   -153.4119    可変C  
12     ∞         1.40078  
13     18.96748   3.75245   1.51633  64.06   
14    -24.25341   0.09999  
15     18.77954   4.04255   1.51742  52.43  
16    -18.77954   1.3999    1.834    37.16  
17     18.77954   可変D  
18     22.71409   5.00033   1.58913  61.15  
19    -20.0266    0.10002   
20     56.47649   0.79994   1.90366  31.32  
21     17.45296   可変E   
22       ∞       0.70000   1.53770  66.60
23       ∞       1.50000  
24       ∞       0.70000   1.50000  64.00 
25       ∞                                                            。
【０１２６】
「非球面データ」
0005888038.tif 000008
【０１２７】
「可変量」
可変量のデータを表７に示す。
【０１２８】
【表７】
0005888038.tif 000009
【０１２９】
図２６、図２７、図２８に順次、実施例７の広角端、中間焦点距離、望遠端における収差図を示す。
【０１３０】
「実施例８」
実施例８のズームレンズは、図２９に示したものである。以下にデータを挙げる。
【０１３１】
ｆ＝16.19〜45.75  Ｆ＝3.63〜5.86  ω＝41.45〜17.36
面番号  曲率半径   面間隔     Nd     νd  
1    33.04630   1.30000   1.84666  23.78  
2    24.61909   5.03061   1.69680  55.53  
3   136.08670   可変A  
4    66.82379   0.97000   2.00100  29.13  
5    10.13620   6.58248                          
6   -27.08140   0.80000   1.69350  53.18 
7    42.28382   0.10000   
8    36.12687   4.06747   1.84666  23.78  
9   -23.91703   可変B   
10   -19.22723   0.80000   1.60300  65.44（S-PHM53） 
11   -40.79376   可変C  
12    ∞（絞り） 1.45000   
13    15.53437   3.73586   1.51633  64.06  
14   -28.31772   0.10000   
15    26.51545   3.96987   1.53172  48.84 
16   -16.08335   1.45000   1.83400  37.16  
17    21.49926   可変D  
18    18.61811   5.28649   1.58913  61.15  
19   -19.32644   0.10000   
20    50.34422   0.82401   1.90366  31.32  
21    15.67976   可変E   
22     ∞        0.70000   1.53770  66.60  
23     ∞        1.50000  
24     ∞        0.70000   1.50000  64.00  
25     ∞                                                      。
【０１３２】
「非球面データ」
第6面  
K=0  
A4= -2.62797E-05  
A6=  2.15039E-07  
A8=  1.25881E-09  
A10=-3.37339E-11  
A12=-5.96466E-14  
第7面  
K=0  
A4= -6.94415E-05    
A6=  2.98647E-07  
A8= -1.81245E-09  
A10=-2.26671E-11  
第13面  
K=0  
A4= -1.84404E-05  
A6= -9.86481E-08  
A8=  1.21421E-09  
A10=-2.38227E-11  
第14面  
K=0  
A4=  9.50545E-06  
A6=  8.22895E-08  
A8= -9.41319E-10  
A10=-1.57178E-11  
A12=0  
第18面  
K=  -4.00213  
A4=  5.35275E-06
A6= -6.14576E-08  
A8= -3.35757E-09  
A10= 3.63892E-11  
第19面  
K=  -0.0203  
A4=  4.11207E-05  
A6=  6.45731E-08  
A8= -4.12993E-09  
A10= 4.1149E-11                                              。
【０１３３】
「可変量」
可変量のデータを表８に示す。
【０１３４】
【表８】
0005888038.tif 000010
【０１３５】
図３０、図３１、図３２に順次、実施例８の広角端、中間焦点距離、望遠端における収差図を示す。
【０１３６】
上記実施例１〜８の全てにおいて、第３レンズ群を構成する１枚の負レンズの硝材は、オハラ(株）製の「S-PHM53」を想定している。「S-PHM53」のνd及びθg,Fは、公開されているカタログより下記の通り
νd=65.44  
θg,F=0.5401＜-1.2×10-3・65.44+0.62＝0.5415  
である。
【０１３７】
表９には、上記実施例１〜８における条件（１）〜（５）の各パラメータの値を示す。
【０１３８】
【表９】
0005888038.tif 000011
【０１３９】
表９に示す如く、条件（１）〜（５）の各パラメータは、条件（１）〜（５）を満足している。
【０１４０】
各実施例とも、収差図に示すように、性能良好であり、１０００万〜２０００万画素を超える撮像素子に対応した解像力が実現されている。
【符号の説明】
【０１４１】
Ｉ      第１レンズ群  
ＩＩ    第２レンズ群  
ＩＩＩ  第３レンズ群  
ＩＶ    第４レンズ群  
Ｖ      第５レンズ群  
Ｓ      開口絞り  
【先行技術文献】
【特許文献】
【０１４２】
【特許文献１】特開平３−２２８００８号公報
【特許文献２】特許第３７１６４１８号公報
【特許文献３】特許第３３９７６８６号公報
【特許文献４】特許第４４０１４５１号公報
【特許文献５】特開２０１０−１７５９５４号公報
【図１】
0005888038.tif 000012
【図２】
0005888038.tif 000013
【図３】
0005888038.tif 000014
【図４】
0005888038.tif 000015
【図５】
0005888038.tif 000016
【図６】
0005888038.tif 000017
【図７】
0005888038.tif 000018
【図８】
0005888038.tif 000019
【図９】
0005888038.tif 000020
【図１０】
0005888038.tif 000021
【図１１】
0005888038.tif 000022
【図１２】
0005888038.tif 000023
【図１３】
0005888038.tif 000024
【図１４】
0005888038.tif 000025
【図１５】
0005888038.tif 000026
【図１６】
0005888038.tif 000027
【図１７】
0005888038.tif 000028
【図１８】
0005888038.tif 000029
【図１９】
0005888038.tif 000030
【図２０】
0005888038.tif 000031
【図２１】
0005888038.tif 000032
【図２２】
0005888038.tif 000033
【図２３】
0005888038.tif 000034
【図２４】
0005888038.tif 000035
【図２５】
0005888038.tif 000036
【図２６】
0005888038.tif 000037
【図２７】
0005888038.tif 000038
【図２８】
0005888038.tif 000039
【図２９】
0005888038.tif 000040
【図３０】
0005888038.tif 000041
【図３１】
0005888038.tif 000042
【図３２】
0005888038.tif 000043
【図３３】
0005888038.tif 000044
【図３４】
0005888038.tif 000045